(57)【特許請求の範囲】
【請求項１】
繊維製品（以下、布帛という）を真直状態で移送させる移送管と蛇行状態で移送させる滞溜部とにより環状の処理布帛移送通路を密閉槽内に形成し、該通路内に無端状の布帛を架設して、気流の噴射力を主体に液噴射力も併用し循環回動させ、滞溜部が進行方向に徐々に下がるよう傾斜した横長状の処理タンクによる気流式処理装置において、滞溜槽内側天井に、その前方から後方に渡る一連の多孔板よりなる気流吸い込みダクトを設け、該気流ダクトの傾斜上方部に気流吸い込み口を配置したことを特徴とする繊維製品の気流式処理装置。
【発明の詳細な説明】
【０００１】
【発明の属する技術分野】
本発明は、無端状繊維製品の気流式処理装置に関するものである。
【０００２】
【従来の技術】
従来、無端状繊維製品の気流式処理装置（横長式気流処理装置）として図３に示す構造のものが知られている。この構造について説明する。
【０００３】
１は無端状に結合させた長尺の処理布帛を示す。２は布帛処理槽で布帛滞溜部２ａ、布帛引き上げ部２ｂ、滞溜部入口部２ｃ、処理槽入口部２ｄで構成されている。更に、布帛移送管４の上流側がリールボックス３に、下流側が処理槽入口部２ｄに接続されて全体として布帛１を循環させる構造となっている。リールボックス３内には駆動リール３ａが内蔵されているとともに液流噴射部１２と気流噴射部１９が接続され、更に監視用の覗窓２２を設けた蓋２１が密封状態に取り付けられ、処理槽内は密閉状態になっている。駆動リール３ａは図示されていないモーターをインバータにより任意に制御できるようになっている。
【０００４】
処理液循環経路は、多孔板によって形成された底板５により分離された処理液６が、吸い込み配管７、ポンプ８、吐出配管９、フィルター１０、熱交換器１１、液流調節弁２５を介し、液流噴射部１２に至る。吸い込み配管７の途中には、薬品を添加するための薬品添加槽１３、排液弁２４、給水弁２３が接続されている。
【０００５】
薬品添加槽１３内の薬品は、添加ポンプ２７によって、添加調節弁２８、逆止弁２９を経て吸い込み配管７に送り込まれる。また、薬品添加槽１３内の残液または洗浄液は薬品槽排液弁３０により排出される。３１は給水弁、３２はポンプ８の吐出管からの戻し弁である。
【０００６】
気体循環経路は、布帛処理槽２における上流側と下流側に気流吸い込み口１５，１５′を分離独立して設けるとともに夫々の気流吸い込み口１５，１５′の底板を多孔板１５ａで形成し、これら両気流吸い込み口１５，１５′を、吸い込み配管１６、ブロワー１７、吐出配管１８、気流調節弁２６を介して気流噴射部１９に接続して構成され、処理槽内の気体はブロワー１７によって気流噴射部へ送り込まれるようになっている。
【０００７】
そして、布帛１は蛇行状態で移行する滞溜部２ａの引き上げ部２ｂより駆動リール３ａを介し、液流噴射ノズル１２ａより噴射する噴射力、または気流噴射ノズル１９ａより噴射する噴射力の各単独の作用、または両者の合成作用で引き上げられて布帛移送管４に圧送され、処理槽入口部２ｄ、整流管２０を経て滞溜入口部２ｃで整流管２０より開放されている。整流管２０で開放された布帛１は、気流吸い込み口１５，１５′によって気流と分離され、滞溜部２ａへ移送される。布帛１の循環速度の調整方法は、図示されてないモーターをインバータにより、ブロワー回転数の増加によって気流噴射量を増大することで、布帛の循環速度を上げ、ブロワー回転数の減少によって気流噴射量を減少することで、布帛の循環速度を下げる。
【０００８】
【発明が解決しようとする課題】
ところで、上記従来の構造において、処理タンクが内径８００ｍｍ以下の高圧タンクの場合、処理効果増大のために処理布帛の循環速度を増大させると、気流噴射部１９からの気体の噴射量が増大する。このような場合、上記従来のように気流吸い込み口１５，１５′を分離して小範囲に設けたものにおいては、処理品種によっては滞溜部２ａにて処理布帛１と急激気流とを完全に分離できない場合があり、整列を乱し走行トラブルの原因となっていた。
【０００９】
そこで本発明はこのような問題を解決する気流式処理装置を提供することを目的とするものである。
【００１０】
【課題を解決するための手段】
上記の課題を解決するために、本発明は、繊維製品（以下、布帛という）を真直状態で移送させる移送管と蛇行状態で移送させる滞溜部とにより環状の処理布帛移送通路を密閉槽内に形成し、該通路内に無端状の布帛を架設して、気流の噴射力を主体に液噴射力も併用し循環回動させ、滞溜部が進行方向に徐々に下がるよう傾斜した横長状の処理タンクによる気流式処理装置において、滞溜槽内側天井に、その前方から後方に渡る一連の多孔板よりなる気流吸い込みダクトを設け、該気流ダクトの傾斜上方部に気流吸い込み口を配置したことを特徴とするものである。
【００１１】
本発明においては、滞留槽内側天井の前方から後方、つまり、布帛滞溜部全域の処理槽内上部に多孔板によって形成した気流吸い込みダクトを設けたので、布帛滞溜部全域より、均一で極力緩和された吸い込み力で気流を循環することができ、繊維製品の処理量が多い場合の布帛の吸い寄せ現象を無くし、安定した布帛の循環移送を可能とする。
【００１２】
また、気流吸い込みダクトに連通する気流吸い込み口を１箇所にして該気流吸い込み口からブロワーへ接続される配管を最短にすることができるので、配管を短くして滞溜槽内気体の外部への放熱を減少させることができる。
【００１３】
【発明の実施の形態】
図１及び図２に示す実施例に基づいて本発明の実施の形態について説明する。本発明は上記図３に示す従来の構造における気流吸い込み口と気流吸い込み配管が異なるのみで、その他の構造は上記図３と同様であるため、この異なる部分について説明する。
【００１４】
図１において、布帛処理槽２の布帛滞溜部２ａにおける天井部には、その前方から後方に渡って一連の気流ダクト１４が設けられ、該気流ダクト１４の底板は多孔板１４ａで形成されている。更に該気流ダクト１４は、布帛滞溜部２ａの天井に沿って後方が上昇するように傾斜しており、その傾斜上方部に気流吸い込み口１５が配置連結されている。
【００１５】
上記気流吸い込み口１５は、吸い込み配管１６、ブロワー１７、吐出配管１８、気流調節弁２６を介して気流噴射部１９に至る。
その他の構造は上記図３に示す構造と同一であるため、図３と同一部分には同一符号を付してその説明は省略する。
【００１６】
上記の構造により布帛滞溜部２ａの全域に渡る上部に多孔板１４ａによって気流吸い込みダクト１４が設けられるので、布帛滞溜部２ａの全域から気体を気流吸い込みダクト１４内へ吸い込むことができ、気体吸い込み量を多くすることができる。
【００１７】
したがって、処理布帛の循環速度を増大させるために、気流噴射部１９から多量の気体を噴射する場合でも、布帛滞溜部全域より均一で極力緩和された吸い込み力で気流を循環することができ、繊維製品の処理量が多い場合の布帛の吸い寄せ現象を無くし、安定した布帛の循環移送が可能になる。
【００１８】
また、気流吸い込み口１５は１箇所であるため、該気流吸い込み口１５から１個のブロワー１７へ接続するための配管１６を最短にすることができ、滞溜槽内気体の外部への放熱を減少させることができる。すなわち、図３に示す従来の構造のように２個の気流吸い込み口１５，１５′を設けるものにおいては、これらからブロワー１７までの配管の総長が長くなり、放熱量が多くなるが、本発明においては、図３の配管長より短くなり、その分放熱量が減少する。
【００１９】
なお、本図１に示す構造によるその他の作用は上記図３に示す作用と同様であるため、上記図３の説明を流用してその説明は省略する。
【００２０】
【発明の効果】
以上のようであるから本発明によれば、処理槽内気体を、布帛滞溜部全域の処理槽内上部に多孔板によって形成された気流吸い込みダクトによって布帛滞溜部全域より吸い込むので、均一で極力緩和された吸い込み力で、気流を分離することができる。そのため、高布帛処理時に伴う大風量下で安定した走行ができ、低浴化、シワ返し等の効果を増大することができる。
【００２１】
更に、気流吸い込み口からブロワーへ接続される配管を最短とすることで、滞溜槽内気体の外部への放熱を減少させることができ、気相域温度と処理液部温度の温度差を抑え、均染効果を高めることができる。
【図面の簡単な説明】
【図１】本発明装置の一実施例を示す経路断面図。
【図２】図１におけるＡ−Ａ断面図。
【図３】従来の装置を示す経路断面図。
【符号の説明】
１…布帛                        ２…処理槽
２ａ…滞溜部                    １４…気流ダクト
１４ａ…多孔板                  １５…気流吸い込み口
１９…気体噴射部
【図１】
0003755695.tif 000002
【図２】
0003755695.tif 000003
【図３】
0003755695.tif 000004